(57)【特許請求の範囲】
【請求項１】
電動装置を備える、縦長楕円形状の開孔部を有する物品に着脱可能に取り付けられ、電源から電気の供給を受けるレセプタクルと電気的に接続されることにより、前記電源から前記電動装置への電気の供給を実現する電気供給用プラグであって、
前記電動装置と電気的に接続可能な配線を収容している筐体と、
該筐体に取り付けられた錠部材と、
を備えており、
前記錠部材は、座金と係合部材とからなり、前記係合部材には、前記座金側への押し込み力が付勢され、前記座金は、前記筐体の、前記プラグが固定される、前記開孔部と接する側の側面に、この側面から突出して設けられ、前記座金は、前記開孔部とほぼ同寸の縦長楕円形状部材に凹部を形状したものからなり、前記筐体を前記物品に固定する際に前記開孔部内に挿入され、前記係合部材は、前記開孔部とほぼ同寸の楕円形状部材の長軸側の周面にテーパー面を形成したものからなり、前記テーパー面は、前記筐体側に向かって縮径するように形成され、前記係合部材には、回転軸部材が取り付けられ、前記回転軸部材の一端部は、前記係合部材が取り付けられた側面と反対側の側面から水平に突出していることを特徴とする電気供給用プラグ。
【請求項２】
前記回転軸部材の前記一端部に着脱可能に取り付けられるハンドルを備えることを特徴とする、請求項１に記載の電気供給用プラグ。
【請求項３】
前記筐体が、前記物品の表面に接触して前記物品に対する姿勢の変動を抑える当接部材を備えていることを特徴とする、請求項１または２に記載の電気供給用プラグ。
【請求項４】
前記筐体が、前記配線に電気的に接続され、前記レセプタクルが備える給電端子と接続可能で移動不能な受電端子を備え、前記受電端子の端子面は、前記給電端子の端子面よりも面積が大きい平板からなっていることを特徴とする、請求項１から３の何れか１つに記載の電気供給用プラグ。
【請求項５】
前記筐体が、作業者が手で把持するための把持部材を備えている、ことを特徴とする、請求項１から４の何れか１つに記載の電気供給用プラグ。
【発明の詳細な説明】
【技術分野】
【０００１】
この発明は、電動装置を備える物品に着脱可能に取り付けられるとともに電源から電気の供給を受けるレセプタクル（給電装置）と電気的に接続されることにより、前記電源から前記電動装置への電気の供給を実現する電気供給用プラグ（受電装置）に関するものである。
【０００２】
なお、次に掲げる用語の意味または解釈は以下の通りとする。
【０００３】
「電動装置」とは、広く電気で動作する装置をいい、電気で動作するものである限り、冷却装置、冷凍装置、加熱装置その他の温度調節装置、湿度調節装置、回転装置などが該当する。
【０００４】
「電動装置を備える物品」の典型例は、蓄電池を備える車両、空調装置を備える家屋、冷凍装置や冷凍装置を備えるコンテナである。
【背景技術】
【０００５】
電源から電気の供給を受けるレセプタクルと、電動装置に電気を供給するプラグとを電気的に接続するための接続機構として、コンテナが通常備えるすみ金具の開孔部に着脱可能に取り付けられるプラグと、冷却用コンテナが配置されるコンテナ貯蔵棚に設置され、当該プラグに電気的に接続可能なレセプタクルとを備えており、それらの電気的な接続により、当該コンテナが備える電動装置の動作に必要な電気の供給を実現する電気供給機構が知られている（特許文献１から３参照）。
【０００６】
上記の電気供給機構におけるプラグ（１）は、筺体部（２）から突出する軸部材（５）とその先端に取り付けられた内側挟持部（１３）と、軸部材に対して弾性的に取り付けられ、内部挟持部と弾性的に接触可能な外側挟持部（９）とを備えている。軸部材をその先端の内側狭持部とともに、コンテナ（２０）が備えるすみ金具（２３）の開孔部（２４）に挿し込むと、外側挟持部がすみ金具の開孔部に嵌り回転不能となり、内側挟持部が外側挟持部から離隔し、軸部材とともに回転可能となる。それ故、作業者は、その筺体部を押しながら回転させることにより、すみ金具の内側において内側挟持部を回転させ、前記開孔部を構成する部材の一部と弾性的に接触させることができるので、以後、内側挟持部と外側挟持部との間ですみ金具を挟持させた形で、プラグをコンテナに取り付けることができる（特許文献１の図４、６、８参照）。
【０００７】
また、上記の電気供給機構では、プラグが具備する受電端子とレセプタクルが具備する給電端子とを嵌合させることにより両者を電気的に接続している。受電端子は、鉛直方向下向きに開口した凹状をしており、給電端子は、上向きに凸状をしており、凹状の受電端子と凹状の給電端子とが互いに嵌合するように構成され、これにより受電装置は、給電装置に上方から連結される（特許文献２の図１０、図１４参照）。
【先行技術文献】
【特許文献】
【０００８】
【特許文献１】特開２０１０−１０８７１２号公報
【特許文献２】特開２０１０−１０８７１３号公報
【特許文献３】特開２０１０−１０８７１４号公報
【発明の概要】
【発明が解決しようとする課題】
【０００９】
しかし、筺体を回転させることにより、プラグをコンテナに取り付けるという構造では、筺体が他の物品と接触して傾き、コンテナから脱落し易い。
【００１０】
また、筺体を回転させるためには、筺体とすみ金具との間に間隙を設ける必要があり、そのため筺体の姿勢をコンテナに対して維持するための機構が複雑になる。また、その姿勢の維持のために軸部材への負担が大きくなるので、太い、従って重い軸部材を採用せざるを得なくなる。
【００１１】
筺体と、そこから突出する軸部材、その軸部材に取り付けられている内側挟持部、外側挟持部などの部品を備えるプラグは、対称性が低く外形的に安定感がなく、保守や管理も難しい。
【００１２】
さらに、プラグが具備する受電端子が鉛直方向下向きに開口した凹状をしており、レセプタクルが具備する給電端子が上向きに凸状をしているということは、コンテナに対するプラグの姿勢をより正確にまたは揺らぎなく維持する必要があることを意味している。従って筺体が他の物品と接触して傾いたときには、コンテナからの脱落を免れてもレセプタクルの給電端子との電気的接続が困難になるおそれがある。
【００１３】
この発明は、以上の問題に鑑みてなされたものであり、取り付けようとする物品から脱落し難い電気供給用プラグ、加えて構造が比較的簡単で、設置し易く、保守や管理もし易い、電気供給用プラグに係る技術を提供することを目的とする。
【課題を解決するための手段】
【００１４】
上記目的を達成するための、この発明の第１の形態に係る電気供給用プラグは、電動装置を備える、縦長楕円形状の開孔部を有する物品に着脱可能に取り付けられ、電源から電気の供給を受けるレセプタクルと電気的に接続されることにより、前記電源から前記電動装置への電気の供給を実現する電気供給用プラグであって、前記電動装置と電気的に接続可能な配線を収容している筐体と、該筐体に取り付けられた錠部材と、を備えており、前記錠部材は、座金と係合部材とからなり、前記係合部材には、前記座金側への押し込み力が付勢され、前記座金は、前記筐体の、前記プラグが固定される、前記開孔部と接する側の側面に、この側面から突出して設けられ、前記座金は、前記開孔部とほぼ同寸の縦長楕円形状部材に凹部を形状したものからなり、前記筐体を前記物品に固定する際に前記開孔部内に挿入され、前記係合部材は、前記開孔部とほぼ同寸の楕円形状部材の長軸側の周面にテーパー面を形成したものからなり、前記テーパー面は、前記筐体側に向かって縮径するように形成され、前記係合部材には、回転軸部材が取り付けられ、前記回転軸部材の一端部は、前記係合部材が取り付けられた側面と反対側の側面から水平に突出していることを特徴とする。
【００１５】
この発明の第２の形態に係る電気供給用プラグは、第１の形態に係る電気供給用プラグであって、前記回転軸部材の前記一端部に着脱可能に取り付けられるハンドルを備えることを特徴とする。
【００１６】
この発明の第３の形態に係る電気供給用プラグは、第１または第２の形態に係る電気供給用プラグであって、前記筐体が、前記物品の表面に接触して前記物品に対する姿勢の変動を抑える当接部材を備えている、ことを特徴とする。
【００１７】
この発明の第４の形態に係る電気供給用プラグは、第１から第３のいずれかの形態に係る電気供給用プラグであって、前記筐体が、前記配線に電気的に接続され、前記レセプタクルが備える給電端子と接続可能で移動不能な受電端子を備え、前記受電端子の端子面は、前記給電端子の端子面よりも面積が大きい平板からなっている、ことを特徴とする。
【００１８】
この発明の第５の形態に係る電気供給用プラグは、第１から第４のいずれかの形態に係る電気供給用プラグであって、前記筐体が、作業者が手で把持するための把持部材を備えている、ことを特徴とする。
【発明の効果】
【００１９】
この発明の第１の形態においては、電動装置を備える物品へのプラグの取り付けおよび取り外しを行う際、回転軸部材を回転させることで他端に取り付けられた錠部材を座金と開孔部を構成する部材の一部との間で回転させるだけで済み、プラグ自体を回転させる必要がない。従って、この発明の第１の形態によれば、取り付けようとする物品から脱落し難い電気供給用プラグを実現することができる。
【００２０】
この発明の第２の形態においては、回転軸部材の一端のハンドルを回転させることで他端に取り付けられた錠部材を座金と開孔部を構成する部材の一部との間で回転させる。また、当該ハンドルは着脱可能なので、プラグを当該物品に取り付けた後には、ハンドルを外すことができ、以後、プラグが他の物品に接触した結果、脱落するおそれもない。従って、この発明の第２の形態によれば、取り付けようとする物品から脱落し難い電気供給用プラグを実現することができる。
【００２１】
なお、回転軸部材から着脱可能なハンドルを管理すれば、プラグの物品への着脱を管理することができ、ハンドルを鍵代わりに使用すれば、セキュリティを高めることもできる。また、ハンドルが取り外すことができれば、物品に取り付けられている状態にあるプラグは、外形的により小型になり、当該物品の搬送やレセプタクルとの電気的接続機構の簡素化にも役立つ。
【００２２】
この発明の第３の形態によれば、プラグの筐体が当接部材を備えているので、プラグが取り付けられる物品の表面に当該当接部材が接触することにより、プラグの当該物品に対する姿勢の変動を抑えることができる。
【００２３】
電動装置を備える物品にプラグを取り付ける際、プラグを回転させなければならないとすると、プラグの筐体と当該物品との間に隙間を設ける必要が生じるので、上記のような当接部材を設けることは難しい。そして、そのため筺体の姿勢をコンテナに対して維持するための機構が複雑になるか、または、その姿勢の維持のために軸部材への負担が大きくなるので、太い、従って重い軸部材を採用せざるを得なくなる。付随して、筺体と、そこから突出する軸部材、その軸部材に取り付けられている内側挟持部、外側挟持部などの部品を備えるプラグは、外形的にも大型となり、保守や管理も難しくなる。これに対して、この発明の第３の形態によれば、これらの問題を解消または低減することができる。
【００２４】
この発明の第４の形態によれば、電気供給用プラグの筐体が備える電極端子が従来のような凹状ではなく、移動不能な平板状をしているので、プラグが全体として小型で簡素となり、プラグの姿勢が多少ずれても、換言すれば、プラグの物品への取り付け精度が多少低くてもまたは将来低くなっても、レセプタクルが備える電極端子との電気的接続を確保することができる。
【００２５】
この発明の第５の形態によれば、物品に対する電気供給用プラグの着脱を作業者の人力で行う際、作業者が把持部材を手で把持することができるので、着脱作業を行い易くなる。この形態は、プラグが、作業者の人力により搬送可能なほど軽量である場合に特に奏功的である。
【図面の簡単な説明】
【００２６】
【図１】（ａ）はコンテナが収容されたコンテナ貯蔵棚を示す正面図であり、（ｂ）は冷却装置を備えるコンテナを示す外観斜視図であり、（ｃ）は、すみ金具の開孔部を示す正面図である。
【図２】この発明のプラグを示す斜視図である。
【図３】この発明のプラグを示す底面図である。
【図４】錠部材と筺体との取り付け構造を示す底面図である。
【図５】錠部材を固定位置に回転させたこの発明のプラグを示す斜視図である。
【図６】すみ金具と相対して配したこの発明のプラグを示す斜視図である。
【図７】錠部材をすみ金具の開孔部に挿入したこの発明のプラグを示す部分切り欠き斜視図である。
【図８】ハンドルよるすみ金具へのこの発明のプラグの固定方法を示す斜視図である。
【図９】錠部材によりすみ金具に固定されたこの発明のプラグを示す部分切り欠き斜視図である。
【図１０】図９のＡ−Ａ線断面図である。
【図１１】閉蓋後のレセプタクルを示す斜視図である。
【図１２】開蓋途中のレセプタクルを示す正面図である。
【図１３】開蓋後のレセプタクルを示す斜視図である。
【図１４】開蓋後のレセプタクルを示す平面図である。
【図１５】レセプタクルの真上に、プラグを取り付けたコンテナを搬送した状態を示す斜視図である。
【図１６】図１４のＡ矢視図である。
【図１７】コンテナの下降に伴うレセプタクルの開蓋状態を示す斜視図である。
【図１８】レセプタクルの開蓋が完了した状態を示す斜視図である。
【図１９】図１８のＢ矢視図である。
【発明を実施するための形態】
【００２７】
以下、この発明に係る電気供給用プラグを、上述したコンテナ倉庫の電気供給機構に適用した場合について、図面を参照しながら説明する。なお、この発明は、以下に説明するような、コンテナに着脱可能なプラグに限定されず、コンテナ倉庫の電気供給機構に適用されるプラグにも限定されず、電動装置を備える物品であって開孔部を具備するものを広く射程内とするものであることはいうまでもない。
【００２８】
図１（ａ）は、コンテナが収容されたコンテナ貯蔵棚を示す正面図、図１（ｂ）は、冷却装置を備えるコンテナを示す外観斜視図、図１（ｃ）は、すみ金具の開孔部を示す正面図である。
【００２９】
図１（ａ）、（ｂ）において、２００は、電動装置２０２を具備するコンテナである。コンテナ２００の各面の四隅には、縦長の開孔部２０４が形成されたすみ金具２０３が取り付けられている。２０５は、コンテナ貯蔵棚１０３ａの、すみ金具２０３に対応する床面２０６上に固定された台座であり、台座２０５上にコンテナ２００が載置される。台座２０５の上面には、位置決め用の突起２０７（図１６参照）が突設され、突起２０７は、コンテナ載置時にコンテナ２００の下面に取り付けられたすみ金具２０３の開孔部２０４内に挿入される。
【００３０】
１は、電気供給機構である。電気供給機構１は、すみ金具２０３が台座２０５に配置されているとき、すなわち、コンテナ２００が台座２０５上に載置されているとき、電源２から電動装置２０２に電気を電源ケーブル（図１ａ中、一点鎖線で示す）を介して供給する。電気供給機構１は、すみ金具２０３に着脱可能な、この発明のプラグ（受電装置）３と、プラグ３と電気的に接続して電源２からの電気を電動装置２０２に供給するレセプタクル（給電装置）４とからなっている。
【００３１】
（プラグ）
この発明のプラグ３の一実施態様を、図面を参照しながら説明する。
【００３２】
図２は、この発明のプラグを示す斜視図、図３は、この発明のプラグを示す底面図、図４は、錠部材と筺体との取り付け構造を示す底面図、図５は、錠部材を固定位置に回転させたこの発明のプラグを示す斜視図、図６は、すみ金具と相対して配したこの発明のプラグを示す斜視図、図７は、錠部材をすみ金具の開孔部に挿入したこの発明のプラグを示す部分切り欠き斜視図、図８は、ハンドルによるすみ金具へのこの発明のプラグの固定方法を示す斜視図、図９は、錠部材によりすみ金具に固定されたこの発明のプラグを示す部分切り欠き斜視図、図１０は、図９のＡ−Ａ線断面図である。
【００３３】
図２から図１０に示すように、プラグ３は、起倒自在な把持部材としての取っ手５により持ち運び可能な筺体６と、筺体６内の下部に筺体６の下面側に露出して設けられた受電端子７および短絡用部材８（図３参照）と、筺体６をコンテナ２００のすみ金具２０３に固定する錠部材９と、筺体６の下部両側面に、この側面から突出して固定された一対の当板１０と、筺体６の上面に設けられた、電動装置２０２のコンセント１１とを備え、コンセント１１と受電端子７とは、配線を介して電気的に接続されている。
【００３４】
筺体６は、その下面に、受電端子７および短絡用部材８の周囲を取り囲むように配置された受電側連結面を有し、受電側連結面上には、例えばゴムにより構成されるシート部材６ａが取り付けられている（図３参照）。なお、受電側連結面は、シート部材６ａにより覆われているので図示されていない。受電端子７は、シート部材６ａより外側に突出しないように構成されている。
【００３５】
受電側連結面は、コンテナ２００が台座２０５上に載置されているとき、シート部材６ａを介して後述するレセプタクル４の給電側連結面のシート部材と面接触する。これによって、受電端子７、後述する給電端子、短絡用部材８および後述する連結検知用端子並びに受電端子７と給電端子との面接触部分および短絡用部材８と連結検知用端子との接触部分は、それぞれ同時に、レセプタクル４とプラグ３と間の閉じた空間内に閉じ込められて、これらが外部から遮蔽され、これにより併せて防塵や防水も実現される。
【００３６】
また、このとき、受電側連結面が給電側連結面の上方側に配置されるので、コンテナ２００およびプラグ３の自重による付勢により受電側連結面がシート部材６ａを介して給電側連結面のシート部材に強く押し付けられ、両連結面の面接触および受電端子７と給電端子との面接触が移動不能且つ強固に維持される。従って、従来のような複雑な端子接続構造、即ち凹状の受電端子と凸状の給電端子との嵌合構造を採用するまでもない。
【００３７】
従って、比較的簡単な手法によりレセプタクル４とプラグ３とを電気的に接続することができ、且つ、その電気的な接続を安全且つ確実に維持することができる電気供給機構１を備えるコンテナ倉庫を実現することができる。
【００３８】
なお、シート部材６ａは、上述のように、ゴムなどにより構成されているので、滑り止めの機能も果たすので、プラグ３を棚や床に置いたときの滑りや落下の防止に役立つ。
【００３９】
すみ金具２０３と接する側の筺体６の側面には、当接部材３２が取り付けられている。当接部材３２は、筺体６をすみ金具２０３に固定する際、すみ金具２０３と密着することによって、後述する回転軸部材がすみ金具２０３に対して直角に配されるようにする機能を有している。
【００４０】
受電端子７は、レセプタクル４の給電端子と互いに面接触可能である。受電端子７は、給電端子が後述するように弾性的に移動可能であるのに対して、移動不能に構成されている。受電端子７の端子面は、給電端子の端子面よりも面積が大きい平板からなっている。これによって、受電端子７が下方に移動して給電端子に接触するとき、凹状の受電端子と凸状の給電端子とが嵌合する場合に比べて接触不良が起こり難く、多少の位置のずれが生じても問題にならなず、受電端子７と給電端子との正確な位置合わせも不要になる。従って、プラグ３およびレセプタクル４は、何れも従来に比して構造が簡単になり、それ故に保守や管理の負担を軽減し、コンテナ貯蔵棚１０３ａという限られた空間における電気供給のための接続が容易にすることができる。そして、総じて比較的小型の電気供給機構１を備えるコンテナ倉庫を実現することができる。
【００４１】
短絡用部材８は、受電端子７と給電端子とが接触し、これによりプラグ３とレセプタクル４との電気的接続が確立した後に、短絡用部材８とレセプタクル４の連結検知用端子とを導通させて、レセプタクル４からプラグ３に電気を供給する機能を有している。従って、レセプタクル４からプラグ３に電気を安全に供給することができる電気供給機構１を備えるコンテナ倉庫を実現することができる。連結検知用端子と接触可能な短絡用部材８の短絡面は、銅板などの導電性に優れた金属製平板からなるので、連結検知用端子と短絡用部材８との間で接触不良が起こり難く、そのため、受電端子７と給電端子とが接触し、これによりプラグ３とレセプタクル４との電気的接続が確立されたにも拘らず、レセプタクル４からプラグ３に電気が供給されないといった動作不良も起こり難い。これによって、レセプタクル４からプラグ３に電気を安全に供給することができる電気供給機構１を備えるコンテナ倉庫を実現することができる。
【００４２】
錠部材９は、座金１２と係合部材１３とからなり、係合部材１３には、後述する回転軸部材に配されたスプリング３１（図４参照）により座金１２側への押し込み力が付勢されている。座金１２は、筺体６の、プラグ３が固定されるすみ金具２０３と接する側の側面に、この側面から突出して設けられている。座金１２は、すみ金具２０３に形成された縦長楕円形状の開孔部２０４とほぼ同寸の縦長楕円形状部材に凹部１２ａを形状したものからなり、筺体６をすみ金具２０３に固定する際に開孔部２０４内に挿入される。係合部材１３は、開孔部２０４とほぼ同寸の楕円形状部材の長軸側の周面にテーパー面１３ａを形成したものからなっている。テーパー面１３ａは、筺体６側に向かって縮径するように形成されている。このように係合部材１３にテーパー面１３ａを形成することによって、係合部材１３は、その一部が座金１２の凹部１２ａ内に入り込んだ状態で凹部１２ａ内において回転可能になっている。係合部材１３には、回転軸部材１４が取り付けられ、回転軸部材１４の一端部は、係合部材１３が取り付けられた側面と反対側の側面から水平に突出している。回転軸部材１４は、筺体６内に取り付けられたスリーブ管３３内に挿通され、筺体６内の配線などと干渉しないようになっている。筺体６から突出した回転軸部材１４の一端部にハンドル１５を装着して、係合部材１３を回転させることができる（図５参照）。ハンドル１５を着脱可能にすることによって、プラグ３をコンテナ２００に設置した後そのコンテナ２００を搬送する際に、ハンドル１５の存在が邪魔にならない。また、プラグ３とは別の場所に保管することができる。それ故、プラグ３をコンテナ２００に設置しても当該コンテナ２００の搬送に大きな支障を与えずに済み、ハンドル１５を管理することにより、コンテナ２００におけるプラグ３の着脱を管理することができる。ハンドル１５を鍵代わりに使用すれば、セキュリティを高めることもできる。
【００４３】
錠部材９によるプラグ３のすみ金具２０３への固定方法を説明する。
【００４４】
係合部材１３を座金１２と同じ向きに回転させた状態で（図２参照）、すみ金具２０３と錠部材９とが相対するようにプラグ３をセットし（図６参照）、座金１２を係合部材１３とともにすみ金具２０３の開孔部２０４内に挿入する（図７参照）。プラグ３の持ち運びは、取っ手５により容易に行える。この後、回転軸部材１４にハンドル１５を装着して係合部材１３を回転させると（図８参照）、開孔部２０４の内側縁部とテーパー面１３ａとが接触する。さらに係合部材１３を回転させると、係合部材１３のテーパー面１３ａは、開孔部２０４の内側縁部に沿って摺動し、係合部材１３は、スプリング３１の弾性力に抗して凹部１２ａから突出方向にスライドする。かくして、係合部材１３は、開孔部２０４の内側縁部にスプリング３１の弾性力によって押し付けられる（図９、図１０参照）。これにより、プラグ３は、錠部材９によってすみ金具２０３に緩むことなく係合し確実に固定される。プラグ３の取り外しに際しては、ハンドル１５を逆方向に回転させれば良い。プラグ３の取り外しに際して、ハンドル１５をスプリング３１の弾性力に抗して押し込んで、係合部材１３と開孔部２０４との係合を解除すれば、ハンドル１５の逆方向の回転が容易に行える。ハンドル１５の押し込み操作は、プラグ３の取り付け時に行っても良い。
【００４５】
当板１０は、レセプタクル４の後述するリンク機構を回動させて、レセプタクル４の蓋を開くものである。当板１０とリンク機構との関係については、後述するレセプタクル４のところで説明する。
【００４６】
（レセプタクル）
レセプタクル４を、図面を参照しながら説明する。
【００４７】
図１１は、閉蓋後のレセプタクルを示す斜視図、図１２は、開蓋途中のレセプタクルを示す正面図、図１３は、開蓋後のレセプタクルを示す斜視図、図１４は、開蓋後のレセプタクルを示す平面図である。
【００４８】
図１１から図１４に示すように、レセプタクル４は、基台１６に取り付けられた箱状のレセプタクル本体１７と、レセプタクル本体１７内の上部に上向きに設けられた給電端子１８および連結検知用端子１９（図１３、図１４参照）と、給電端子１８および連結検知用端子１９の露出と遮蔽を行う蓋２０とを備えている。レセプタクル４は、レセプタクル本体１７の両側に配されたスプリング２１を介して上下動可能に基台１６に取り付けられている。基台１６は、コンテナ貯蔵棚１０３ａの床面２０６に固定される。
【００４９】
レセプタクル本体１７をスプリング２１を介して基台１６に取り付ける理由は、以下の通りである。
【００５０】
コンテナ２００が下降してプラグ３がレセプタクル４と接触する際、スプリング２１の弾性力に抗してレセプタクル４全体が沈み込む。これによって、給電端子１８および連結検知用端子１９の周囲を取り囲むように配置された後述する給電側連結面とプラグ３の後述する受電側連結面との面接触が確実なものとなる。
【００５１】
レセプタクル本体１７は、その上面に、給電端子１８および連結検知用端子１９の周囲を取り囲むように配置された給電側連結面を有し、給電側連結面上には、例えばゴムにより構成されるシート部材１７ａが取り付けられている（図１３、図１４参照）。なお、給電側連結面は、シート部材１７ａにより覆われているので図示されていない。給電端子１８は、シート部材１７ａより外側に突出するように構成されている。
【００５２】
給電側連結面は、コンテナ２００が台座２０５上に載置されているとき、シート部材１７ａを介してプラグ３の受電側連結面のシート部材６ａと面接触する。これによって、受電端子７、給電端子１８、短絡用部材８および連結検知用端子１９並びに受電端子７と給電端子１８との面接触部分および短絡用部材８と連結検知用端子１９との接触部分は、それぞれ同時に、レセプタクル４とプラグ３と間の閉じた空間内に閉じ込められ、外部から遮蔽され、これにより併せて防塵や防水も実現される。
【００５３】
給電端子１８は、スプリング（図示せず）により上方に突出する力が付勢されており、コンテナ２００が台座２０５上に載置されているとき、プラグ３の受電端子７と面接触する。給電端子１８と受電端子７との接触は、前記スプリングによる弾性力により確実に行われる。連結検知用端子１９は、プラグ３の短絡用部材８との接触による電気的導通を検知したとき、レセプタクル４からプラグ３に電気を供給する機能を有している。すなわち、受電端子７と接触していないときの連結検知用端子１９の高さは、給電端子１８の高さより低く構成され、給電端子１８と受電端子７とが接触し、これによりレセプタクル４とプラグ３との電気的接続が確立した後に、連結検知用端子１９と短絡用部材８とが電気的に導通し、電源２からの電気がレセプタクル４からプラグ３に供給され、そして、プラグ３から電動装置２０２に確実に供給されるようになっている。
【００５４】
蓋２０は、レセプタクル本体１７の両側に軸支された一対のアーム２２に取り付けられている。アーム２２は、蓋２０とともに後述するリンク機構によって回動し、かくして、蓋２０により給電端子１８および連結検知用端子１９の露出と遮蔽が行われる。
【００５５】
リンク機構２３は、スライダ・クランク機構からなっている。すなわち、頂部にローラー２４が取り付けられた短尺レバー２５と、ガイド溝２６ａが形成された長尺レバー２６とを連結軸２７を介してくの字状に連結したものからなっている。このように構成されているリンク機構２３がレセプタクル本体１７の両側に連結軸２７を介して回動自在に取り付けられている。長尺レバー２６同士は、連結バー２８により連結され、一体的に回動する。連結軸２７には、リンク機構２３に常時、閉蓋方向（図１２中、矢印Ａ方向）の力を付勢するスプリング２９が取り付けられている。蓋２０の両側面には、ピン３０が設けられ、ピン３０は、長尺レバー２６のガイド溝２６ａと係合し、リンク機構２３の回動に伴いガイド溝２６ａに沿ってスライドする。
【００５６】
リンク機構２３によれば、コンテナ２００とともに下降するプラグ３が短尺レバー２５を押し下げると、長尺レバー２６がスプリング２９の弾性力に抗して開蓋方向（図１２中、矢印Ｂ方向）に回動する。長尺レバー２６が回動すると、ピン３０が長尺レバー２６のガイド溝２６ａの一端（図１２中、左側）から他端（図１２中、右側）に向かってスライドする結果、蓋２０は、開き始め（図１２参照）、さらにプラグ３が下降すると、蓋２０は、完全に開いて、給電端子１８および連結検知用端子１９がレセプタクル本体１７から露出する（図１３、図１４参照）。
【００５７】
一方、コンテナ２００とともにプラグ３が上昇すると、スプリング２９の弾性力によって短尺レバー２５が長尺レバー２６とともに開蓋方向に回動する。長尺レバー２６が回動すると、ピン３０が長尺レバー２６のガイド溝２６ａの他端から一端にスライドする結果、蓋２０は、完全に閉じる（図１１参照）。
【００５８】
リンク機構２３によれば、レセプタクル４の蓋２０が水平方向にスライドして開閉動作を行う場合に比べて、狭い空間内で開閉動作を行うことができる。従って、レセプタクル４の大型化を抑えることができ、コンテナ貯蔵棚１０３ａという限られた空間へのレセプタクル４の設置も比較的容易になる。上述したプラグ３の上下方向の移動に伴う短尺レバー２５の回動は、ローラー２４を介して円滑に行われる。
【００５９】
このように、レセプタクル４はプラグ３の上下方向の接近と離隔に対応する開閉動作に伴い給電端子の露出と遮蔽を行う蓋２０を備えているので、従来のようにレセプタクルが備える蓋の開閉動作のためにコンテナの上下方向の位置決めを行う必要がなく、そのコンテナを水平方向に移動させる必要もない。そして、プラグ３が取り付けられたコンテナ２００を上下方向に移動させるだけで、蓋２０の開閉、従って給電端子を露出と遮蔽と、給電端子と受電端子との接触とその解除とを行うことができる。両端子の位置合わせのために、従来のような調心機構も必要としない。従って、比較的簡単な手法、即ちコンテナを上下方向に移動させるだけでプラグとレセプタクルとの電気的な接続とその解除を安全に行うことができる電気供給機構１を備えるコンテナ倉庫を実現することができる。
【００６０】
また、蓋２０の開閉動作に伴い連結検知用端子１９の露出と遮蔽が起こるので、プラグ３とレセプタクル４との電気的な接続状態を検知する必要がないときに、連結検知用端子１９が短絡用部材８以外の部材と接触して導通するような不測の事態（従って、受電端子７と給電端子１８との間に無用な電圧がかかるような事態）の発生を防止することができる。
【００６１】
次に、電動装置を具備するコンテナのコンテナ倉庫への収容方法を、図面を参照しながら説明する。
【００６２】
図１５は、レセプタクルの真上に、プラグを取り付けたコンテナを搬送した状態を示す斜視図、図１６は、図１５のＡ矢視図、図１７は、コンテナの下降に伴うレセプタクルの開蓋状態を示す斜視図、図１８は、レセプタクルの開蓋が完了した状態を示す斜視図、図１９は、図１８のＢ矢視図である。
【００６３】
先ず、所定のコンテナ貯蔵棚１０３ａの床面２０６上に固定された台座２０５の外側にレセプタクル４を固定するとともに、コンテナ２００のすみ金具２０３にプラグ３を取り付ける（図１参照）。このとき、電動装置２０２の電源プラグ（図示せず）をプラグ３のコンセント１１に差し込んでおく。なお、電源プラグは、コンテナ２００が台座２０５上に載置された後にコンセント１１に差し込んでも良い。
【００６４】
次いで、プラグ３が取り付けたコンテナ２００を、上述したコンテナ搬送装置により、プラグ３の直下にレセプタクル４が位置するようにコンテナ貯蔵棚１０３ａ内に搬送する（図１５、図１６参照）。次いで、コンテナ２００を下降させる。コンテナ２００に伴い、プラグ３の当板１０によりレセプタクル４の短尺レバー２５が押し下げられ、これにより蓋２０がリンク機構２３により開き始める（図１７参照）。
【００６５】
このようにして、コンテナ２００が台座２０５上に完全に載置されると、レセプタクル４の蓋２０が完全に開き、レセプタクル４の給電端子１８とプラグ３の受電端子７とが接触する（図１８、図１９参照）。従って、電動装置２０２の電源をオンすれば、電源２からの電気がレセプタクル４とプラグ３を介して電動装置２０２に供給される（図１参照）。
【００６６】
この際、受電端子７給電端子１８とが接触し、これによりプラグ３とレセプタクル４との電気的接続が確立した後に、短絡用部材８と連結検知用端子１９とが導通し、レセプタクル４からプラグ３へと電気が供給されるので、レセプタクル４からプラグ３に電気を安全に供給することができる。
【００６７】
このようにして、電動装置を具備するコンテナのコンテナ倉庫への収容が完了する。
【符号の説明】
【００６８】
１：電気供給機構
２：電源
３：プラグ
４：レセプタクル
５：取っ手
６：筺体
６ａ：受電側連結面
７：受電端子
８：短絡用部材
９：錠部材
１０：当板
１１：コンセント
１２：座金
１２ａ：凹部
１３：係合部材
１３ａ：テーパー面
１４：回転軸部材
１５：ハンドル
１６：基台
１７：レセプタクル本体
１７ａ：給電側連結面
１８：給電端子
１９：連結検知用端子
２０：蓋
２１：スプリング
２２：アーム
２３：リンク機構
２４：ローラー
２５：短尺レバー
２６：長尺レバー
２６ａ：ガイド溝
２７：連結軸
２８：連結バー
２９：スプリング
３０：ピン
３１：スプリング
３２：当接部材
３３：スリーブ管
【図１】
0005659097.tif 000002
【図２】
0005659097.tif 000003
【図３】
0005659097.tif 000004
【図４】
0005659097.tif 000005
【図５】
0005659097.tif 000006
【図６】
0005659097.tif 000007
【図７】
0005659097.tif 000008
【図８】
0005659097.tif 000009
【図９】
0005659097.tif 000010
【図１０】
0005659097.tif 000011
【図１１】
0005659097.tif 000012
【図１２】
0005659097.tif 000013
【図１３】
0005659097.tif 000014
【図１４】
0005659097.tif 000015
【図１５】
0005659097.tif 000016
【図１６】
0005659097.tif 000017
【図１７】
0005659097.tif 000018
【図１８】
0005659097.tif 000019
【図１９】
0005659097.tif 000020